(57)【要約】【課題】磯釣りや堤防釣り等の浮き釣りで、簡単な構成で水深確認作業を容易に正確に行うことを可能とした魚釣り用水深確認具とする。【解決手段】上部体１Ａを浮き部に形成する。上部体１Ａの下部に上面が開口した室に形成されると共に、内部に浮力体１４及び錘２０を設けた下部体１Ｂを連結する。下部体１Ｂの底部下方に凹部１０を設ける。下部体１Ｂの周側面に空気抜き孔６及び水注入孔７を設ける。上部体１Ａの下面に磁石５を設ける。磁石５と吸着する磁石１５を浮力体１４の上面に設ける。浮力体１４の下部に先端が下部体１Ｂの底部より下部体外へ突出した線体１７を設ける。線体１７の先端に上部に釣糸挿通用環体１８を有する閉塞体１９を設ける。浮力体１４が浮上し、磁石５、１５同士が吸着した時に、釣糸挿通用環体１８が下部体１Ｂの凹部１０に入ると共に、閉塞体１９が下部体１Ｂの下縁に圧着して凹部１０を閉塞し、釣糸を下部体１Ｂの下部に固定する。【選択図】図２
2004187627.tif 000002
【特許請求の範囲】
【請求項１】
上部体が浮き部に形成され、この上部体の下部に上面が開口した室に形成されると共に、内部に浮力体及び錘を設けた下部体が連結され、この下部体の底部下方に凹部が設けられると共に、下部体の周側面に空気抜き孔及び水注入孔が設けられ、前記上部体の下面に磁石が着設され、この磁石と吸着する磁石が前記浮力体の上面に着設されると共に、浮力体の下部に先端が下部体の底部から下部体外へ突出した線体が設けられ、この線体の先端に上部に釣糸挿通用環体を有する閉塞体が設けられ、前記浮力体が浮上し前記磁石同士が吸着した時に、釣糸挿通用環体が下部体の凹部に入ると共に、閉塞体が下部体の下縁に圧着して凹部を閉塞し、釣糸挿通用環体に挿通された釣糸が下部体の下部に固定されることを特徴とする魚釣り用水深確認具。
【請求項２】
上部体と下部体が着脱可能に連結されていることを特徴とする請求項１記載の魚釣り用水深確認具。
【請求項３】
水注入孔は注入量が調節可能に設けられていることを特徴とする請求項１又は２記載の魚釣り用水深確認具。
【請求項４】
釣糸挿通用環体は開閉可能に構成されていることを特徴とする請求項１、２又は３記載の魚釣り用水深確認具。
【発明の詳細な説明】
【０００１】
【発明の属する技術分野】
本発明は、磯釣りや堤防釣り等に際して、浮き釣りをする時に浮き下の長さを決めるために、海面から海底までの水深を確認するための魚釣り用水深確認具に関するものである。
【０００２】
【従来の技術】
魚釣りで水深を測定する方法として、船上から直下へ錘を付けた釣糸を繰り出して着底させ、繰り出した糸の長さを計測して水深を確認する電動リールは存在するが、これは真下の水深は測定可能であるが、釣り人から離れた場所の水深を測定することは不可能である。そのため磯や堤防からの投げ釣りには不向きである。
【０００３】
そこで、従来は磯釣りや堤防釣り等の浮き釣りでは、水深を確認するため自立しない浮きを使用し、何度も釣糸に浮きを固定する箇所を変え、棚取りと称する水深確認作業を行っていたのであるが、非常に面倒で時間の掛かる作業であった。
【０００４】
この問題点を解決するものとして、特開２０００ー３５０５４０の浮きが提案されている。
この浮きは、浮きの内部に沈むことによって計測を可能とする水深計を設け、かつ浮きの下方に錘が係着可能になるようにフックを設けたものである。
【０００５】
【発明が解決しようとする課題】
磯釣りや堤防釣り等での浮き釣りで、浮き下の長さを決めるため水深を確認する作業は釣果を左右する重要な作業の一つである。
そこで、上記従来の特開２０００ー３５０５４０の浮きが提案されたが、この浮きは水深計を包含するものであるため、構成も複雑で製作費も高価となるものである。
【０００６】
上記点より本発明は、磯釣りや堤防釣り等の浮き釣りで、簡単な構成で水深確認作業を容易に正確に行うことを可能とした魚釣り用水深確認具を提供しようとするものである。
【０００７】
【課題を解決するための手段】
上記課題を解決するため請求項１記載の本発明魚釣り用水深確認具は、上部体が浮き部に形成され、この上部体の下部に上面が開口した室に形成されると共に、内部に浮力体及び錘を設けた下部体が連結され、この下部体の底部下方に凹部が設けられると共に、下部体の周側面に空気抜き孔及び水注入孔が設けられ、前記上部体の下面に磁石が着設され、この磁石と吸着する磁石が前記浮力体の上面に着設されると共に、浮力体の下部に先端が下部体の底部から下部体外へ突出した線体が設けられ、この線体の先端に上部に釣糸挿通用環体を有する閉塞体が設けられ、前記浮力体が浮上し前記磁石同士が吸着した時に、釣糸挿通用環体が下部体の凹部に入ると共に、閉塞体が下部体の下縁に圧着して凹部を閉塞し、釣糸挿通用環体に挿通された釣糸が下部体の下部に固定されることを特徴とするものである。
【０００８】
このような構成とすることにより、本発明水深確認具の釣糸挿通用環体に道糸を通し、道糸の先端に実際に使用する錘を結着しポイントに投げると、錘は道糸を引きながら海底に到達し停止する。
その際、水深確認具は上部体が浮き部に形成されているため海面で停止し、水深確認具と錘までの間を道糸がつないでいる。
又、下部体の内部に錘が設けてあることにより、水深確認具は自立した状態で浮いている。この時の錘と水深確認具及び連繋する道糸は、気象状況や潮の流れ或いは波の影響を受けた状況下での関係を呈し、水深確認具に代えて浮きを付けて実際にポイントへ投げた状況と同一となっている。
【０００９】
又、下部体は海面下に位置するため、水注入孔から徐々に海水が下部体内に浸入し、この海水により内部の浮力体が浮上を始め、浮力体の上面の磁石が上部体の下面の磁石に引き付けられ磁石同士が吸着する。
海水の浸入は下部体に空気抜き孔を設けてあるため、下部体の室内の加圧を防ぎ、スムーズに浸入できる。この時、浮力体の線体に設けられている下部体外の閉塞体が浮力体の浮上と共に上昇し、閉塞体の上部の釣糸挿通用環体は下部体の凹部に入ると同時に、閉塞体が下部体の下縁に圧着して凹部を閉塞する。これにより道糸は下部体の下縁と閉塞体に挾着され固定される。
【００１０】
そして、道糸を引き上げると、両磁石は吸着したままの状態であるため、下部体の下部から錘までの道糸の長さはそのまま保持されているので、この長さを知ることにより水深を確認できる。
【００１１】
次に、請求項２記載の本発明魚釣り用水深確認具は、請求項１の魚釣り用水深確認具において、上部体と下部体が着脱可能に連結されていることを特徴とするものである。
【００１２】
このような構成とすることにより、下部体内に浸入した海水を排水する時に、上部体と下部体を分離し、下部体の上面の開口から排水すれば迅速に行える。
【００１３】
次に、請求項３記載の本発明魚釣り用水深確認具は、請求項１又は２の魚釣り用水深確認具において、水注入孔は注入量が調節可能に設けられていることを特徴とするものである。
【００１４】
このような構成とすることにより、下部体内の浮力体の浮上に要する時間を調整でき、水深によっては錘が海底に到達するよりも早く、道糸が固定しないようにタイミングを計ることができる。
【００１５】
次に、請求項４記載の本発明魚釣り用水深確認具は、請求項１、２又は３の魚釣り用水深確認具において、釣糸挿通用環体は開閉可能に構成されていることを特徴とするものである。
【００１６】
このような構成とすることにより、釣糸挿通用環体に道糸の先端から挿通しなくても、環体を開閉することにより道糸の途中からでも簡単に着脱できるので非常に便利である。
【００１７】
【発明の実施の形態】
以下、本発明の一実施の形態を図面に基づき説明する。
図１は本発明魚釣り用水深確認具の断面図、図２は同上の作用を示す断面図、図３は同上の分解斜視図、図４は同上の使用方法を示す正面図である。
【００１８】
図中１は紡錘形の水深確認具であり、この水深確認具１はプラスチック等により形成され、上部体１Ａと下部体１Ｂに分離され、上部体１Ａは内部が密閉された空気室２に形成され浮き部となっている。又下部体１Ｂは上面が開口した室に形成されている。
そして、上部体の下部外周面に雄螺子部３が設けられると共に、この雄螺子部３と螺合する雌螺子部４が下部体１Ｂの上部外周面に設けられ、上部体１Ａと下部体１Ｂは着脱可能に螺合連結されている。
【００１９】
又、上部体１Ａの下面に磁石５が着設されている。
６は下部体１Ｂの周側面の上方に穿設した空気抜き孔であり、対向した位置に設けられている。
７は下部体１Ｂの周側面の下方に穿設した水注入孔であり、周方向に複数個対向位置に設けられている。
この水注入孔７を覆うように下部体１Ｂの下部外周面に密着して周方向に回動する水注入量調節カバー８が下部体１Ｂに嵌着されると共に、この水注入量調節カバー８に窓９が対向位置に設けられ、水注入量調節カバー８を回動することにより、窓９から水注入孔７が現れる数を調節し、下部体１Ｂの内部への海水の注入量を調節する。
尚、水注入孔７は複数個の小孔となっているが、小孔に変え、一個の横長の長孔を設けて、長孔の開口度を水注入量調節カバー８により調節するようにしてもよい。
【００２０】
又、下部体１Ｂの底部の中央部の下方に開口端が円形の凹部１０が形成され、この凹部１０を形成するリング状部の外周に螺子部１１が形成されると共に、螺子部１１の下縁にゴムリング１２が当着されている。この螺子部１１にナット１３が螺合している。
このナット１３は水注入量調節カバー８が下方へずれることを防止するためのものであると同時に、ナット１３により水注入量調節カバー８を上方へ締め上げることにより、水注入孔７の調節済みの水注入量調節カバー８の回動を阻止するものである。
【００２１】
又、下部体１Ｂの室内に発泡スチロールや発泡ウレタン等により上面が平坦に形成された浮力体１４が収納されている。
この浮力体１４の上面に、上部体１Ａの下面に設けた磁石５に吸着する磁石１５が着設されている。
【００２２】
又、浮力体１４の下部に、先端が下部体１Ｂの底部に穿設した孔１６から下部体１Ｂの外部へ突出した線体１７の基部が固定されている。
この線体１７の先端に釣糸挿通用環体１８が固設されると共に、釣糸挿通用環体１８の下部に閉塞体１９が固定されている。
【００２３】
釣糸挿通用環体１８は、図５に示すように、係止爪付きの開閉式割環体を使用してもよく、或いは図６に示すように、ステンレス鋼線を密着させて二重巻きにしたスプリットリングとしてもよい。
【００２４】
又、閉塞体１９は球体に形成され、この閉塞体１９は浮力体１４が海水の下部体１Ｂへの浸入により浮上して、浮力体１４の上面の磁石１５が上部体１Ａの下面の磁石５に吸着した時に、ゴムリング１２に圧着して凹部１０を閉塞する。
この時に、釣糸挿通用環体１８は凹部１０内に収納されると共に、凹部１０の開口端が円形のため、球形の閉塞体１９の一部が凹部１０内に嵌入し、閉塞部の密着度を高める。
又、閉塞体１９は凹部１０の下縁がゴムリング１２のため密着し易くなる。
尚、閉塞体１９の形状は必ずしも球形に限定されるものではないことは当然である。
又、図中２０は下部体１Ｂの室内の下部に設けた錘であり、水深確認具１を自立させるためのものである。又２１は上部体１Ａと下部体１Ｂの連結部に介在したゴム製のパッキンである。
【００２５】
このような構成を有する魚釣り用水深確認具の使用方法を説明する。
先ず、釣糸挿通用環体１８に道糸２２を挿通し、道糸２２の先端に錘を結着し、この錘が海底に到達する前に道糸２２が固定されないように、水注入量調節カバー８を回動して水注入孔７を調節する。
そして、錘と共に水深確認具１をポイントに投げ込めば、錘は道糸２２を引きながら沈み、水深確認具１は自立して浮き、下部体１Ｂの水注入孔７から海水が徐々に浸入し、浮力体１４が浮上する。
【００２６】
この浮上で浮力体１４の上面の磁石１５が上部体１Ａの下面の磁石５に吸着し、浮力体１４の線体１７に設けた釣糸挿通用環体１８は凹部１０内に収納され、閉塞体１９が下部体１Ｂの凹部１０を閉塞する。
これにより、道糸２２は凹部１０の下縁のゴムリング１２と閉塞体１９の間に挾着され固定される。
【００２７】
よって、釣り人はリールを巻き道糸２２を引き寄せ、下部体１Ｂの下部から錘までの道糸２２の長さを知ることにより水深を確認できるから、この長さから魚の習性や種類により、どの位置に浮きを付けるか判断し、仕掛けを付けることができる。
【００２８】
又、その他の使用方法として、図４に示すように、釣針２３、錘２４、サルカン２５、下部浮き止め２６、上部浮き止め２７、浮き取り付け用移動式サルカン２８等の仕掛けを先に付け、上部浮き止め２７と下部浮き止め２６の間で浮き取り付け用移動式サルカン２８の上方部位の道糸２２に水深確認具１を取り付けて使用してもよい。
【００２９】
この場合、上部浮き止め２７は通常より上部にしておき、仕掛けをポイントに投げ込み、道糸２２が水深確認具１に固定された後、リールを巻いて引き上げ、水深確認具１を取り外し、この取り外した位置よりやや下方位置に上部浮き止め２７を移動させ、浮き取り付け用移動式サルカン２８に本来の浮きを取り付ける。
【００３０】
【発明の効果】
本発明によれば、磯釣りや堤防釣り等の浮き釣りで、面倒な作業をすることなく、ポイントの海面から海底までの水深を容易に正確かつ迅速に確認することができる。
又、気象状況や潮の流れ或いは波の影響を受けた状況下では、実際に浮きを付けた際に錘の真上に必ずしも浮きが位置するとは限らず、錘の真上の正確な水深と異なることになるが、水深確認具は浮いているため実際に浮きを付けた時と同一の状況となるので、従来の海底に沈む水深計では測定が不可能な実状に適応した測定となる。
又、構成も簡単で製作費も安価で経済的効果も有するものである。
【図面の簡単な説明】
【図１】本発明魚釣り用水深確認具の一実施の形態を示す断面図である。
【図２】本発明魚釣り用水深確認具の作用を示す断面図である。
【図３】本発明魚釣り用水深確認具の一実施の形態を示す分解斜視図である。
【図４】本発明魚釣り用水深確認具の使用方法を示す正面図である。
【図５】本発明魚釣り用水深確認具の部分拡大正面図である。
【図６】本発明魚釣り用水深確認具の部分拡大正面図である。
【符号の説明】
１  水深確認具
１Ａ  上部体
１Ｂ  下部体
２  空気室
５、１５  磁石
６  空気抜き孔
７  水注入孔
８  水注入量調節カバー
９  窓
１０  凹部
１１  螺子部
１２  ゴムリング
１３  ナット
１４  浮力体
１７  線体
１８  釣糸挿通用環体
１９  閉塞体
２０  錘
２２  道糸
【図１】
2004187627.tif 000003
【図２】
2004187627.tif 000004
【図３】
2004187627.tif 000005
【図４】
2004187627.tif 000006
【図５】
2004187627.tif 000007
【図６】
2004187627.tif 000008